(57)【要約】【課題】枠組足場に幅木を簡単に取り付けることが可能な幅木取付金具を提供すること。【解決手段】枠組足場１の足場板３の縁部３ａ，３ｂに沿って配置される幅木１０を、建枠２に取り付けるための幅木取付金具１００であって、建枠２の上下の建地材４を連結するためのジョイントピン５０に設けられたプレート７０と、幅木１０の両端部に設けられた一対のフック８０と、を備え、プレート７０は、フック８０が挿入される開口部７１と、開口部７１に挿入されたフック８０が係合する係合部７２と、を有し、一対のフック８０のそれぞれがプレート７０の係合部７２に係合することによって、幅木１０は建枠２に取り付けられる。【選択図】図１
2019183518.tif 000002
【特許請求の範囲】
【請求項１】
枠組足場の足場板の縁部に沿って配置される幅木を、建枠に取り付けるための幅木取付金具であって、
前記建枠の上下の建地材を連結するためのジョイントピンに設けられた幅木受け部材と、
前記幅木の両端部に設けられた一対のフックと、を備え、
前記幅木受け部材は、
前記フックが挿入される開口部と、
前記開口部に挿入された前記フックが係合する係合部と、を有し、
前記一対のフックのそれぞれが前記幅木受け部材の前記係合部に係合することによって、前記幅木は前記建枠に取り付けられる枠組足場用の幅木取付金具。
【請求項２】
前記幅木は、
前記足場板の長手方向の縁部に沿って配置される長幅木と、
前記足場板の短手方向の縁部に沿って配置される短幅木と、を有し、
前記幅木受け部材の前記開口部は、
前記足場板の長手方向に延設された第１開口部と、
前記足場板の長手方向に延設され、前記第１開口部と同一直線上に形成された第２開口部と、
前記足場板の短手方向に延設された第３開口部と、を有し、
前記幅木受け部材の前記係合部は、
前記第１開口部に挿入された前記長幅木の前記フックが係合する第１係合部と、
前記第２開口部に挿入された前記長幅木の前記フックが係合する第２係合部と、
前記第３開口部に挿入された前記短幅木の前記フックが係合する第３係合部と、を有する
請求項１に記載の枠組足場用の幅木取付金具。
【請求項３】
前記第１開口部、前記第２開口部、及び前記第３開口部は、それぞれ連通してＴ字状に形成される請求項２に記載の枠組足場用の幅木取付金具。
【請求項４】
前記フックのうち前記開口部に挿入される部分の厚さは、前記開口部の開口幅と略同じである請求項１から３のいずれか一つに記載の枠組足場用の幅木取付金具。
【請求項５】
前記幅木の両端部に回動自在に支持され、前記開口部に挿入された前記フックと共に前記係合部を囲うフック抜止具をさらに備える請求項１から４のいずれか一つに記載の枠組足場用の幅木取付金具。
【請求項６】
前記フック抜止具は、自重により回動して前記フックと共に前記係合部を囲う請求項５に記載の枠組足場用の幅木取付金具。
【請求項７】
前記幅木は、
幅木本体と、
前記幅木本体に連続して形成され、前記幅木本体と前記足場板との隙間を塞ぐ隙間塞ぎ板と、を有し、
前記幅木が前記幅木受け部材及び前記フックを介して前記建枠に取り付けられた状態では、前記隙間塞ぎ板は、前記足場板に弾性力により密着する請求項１から６のいずれか一つに記載の枠組足場用の幅木取付金具。
【発明の詳細な説明】
【技術分野】
【０００１】
本発明は、枠組足場用の幅木取付金具に関するものである。
【背景技術】
【０００２】
建築現場や土木工事現場で使用される枠組足場において、足場板から作業道具や資材等の物品の落下を防止するために、足場板の縁部に沿って配置される幅木が用いられている。
【０００３】
特許文献１には、枠組足場に幅木を取り付けるための幅木部材支持具が開示されている。この幅木部材支持具は、本体部、本体部から突設された上段側の建地係合部、下段側の建地係合部、及び横地係合部を備え、上段側及び下段側の建地係合部を建枠の建地に嵌合係合させると共に、横地係合部を建枠の横地に嵌合係合させることによって、建枠に取り付けられる。そして、隣り合う建地に取り付けられた幅木部材支持具の幅木部材差し込み溝に幅木の両端部を上方から差し込むことで、隣り合う建地間に幅木が渡し設けられる。
【先行技術文献】
【特許文献】
【０００４】
【特許文献１】特開２０１１−２６８８１号公報
【発明の概要】
【発明が解決しようとする課題】
【０００５】
特許文献１に記載の技術では、幅木部材支持具の分だけ、枠組足場の部品点数が増加する。また、幅木を建枠に取り付けるにあたり、事前に幅木部材支持具を建枠に取り付ける必要があるため、枠組足場の組立工数が増加する。
【０００６】
本発明は、上記の問題点に鑑みてなされたものであり、枠組足場に幅木を簡単に取り付けることが可能な幅木取付金具を提供することを目的とする。
【課題を解決するための手段】
【０００７】
本発明は、枠組足場の足場板の縁部に沿って配置される幅木を、建枠に取り付けるための幅木取付金具であって、前記建枠の上下の建地材を連結するためのジョイントピンに設けられた幅木受け部材と、前記幅木の両端部に設けられた一対のフックと、を備え、前記幅木受け部材は、前記フックが挿入される開口部と、前記開口部に挿入された前記フックが係合する係合部と、を有し、前記一対のフックのそれぞれが前記幅木受け部材の前記係合部に係合することによって、前記幅木は前記建枠に取り付けられる。
【発明の効果】
【０００８】
本発明では、幅木は、ジョイントピンに設けられた幅木受け部材と幅木の両端部に設けられた一対のフックとを介して建枠に取り付けられる。よって、本発明によれば、枠組足場に幅木を簡単に取り付けることができる。
【図面の簡単な説明】
【０００９】
【図１】枠組足場の正面図である。
【図２】枠組足場の側面図である。
【図３】ジョイントピンの正面図である。
【図４】ジョイントピンの側面図ある。
【図５】幅木の裏面図である。
【図６】幅木の平面図である。
【図７】図５のＡ−Ａ線に沿う断面図である。
【図８】ジョイントピンの平面図である。
【図９】本発明の実施形態に係る幅木取付金具の側面図である。
【図１０】幅木受け部材に長幅木が支持された状態の平面図である。
【図１１】幅木受け部材に長幅木と短幅木が支持された状態の平面図である。
【発明を実施するための形態】
【００１０】
以下、図面を参照して、本発明の実施形態について説明する。
【００１１】
建築現場や土木工事現場では、枠組足場１が使用されている。本実施形態では、枠組足場１の足場板３の縁部３ａ，３ｂに沿って配置される幅木１０と、その幅木１０を取り付けるための幅木取付金具１００と、について説明する。
【００１２】
まず、図１及び２を参照して、枠組足場１について説明する。図１は枠組足場１の正面図であり、幅木１０の正面側の図である。図２は枠組足場１の側面図であり、幅木１０の裏面側の図である。
【００１３】
枠組足場１は、複数の建枠２と、隣り合う建枠２間に渡し設けられた足場板３と、を有する。
【００１４】
建枠２は、一対の建地材４（４ａ，４ｂ）と、建地材４ａ，４ｂの上端部間に渡って設けられた横地材５と、を有する門型形状である。一対の建地材４ａ，４ｂと横地材５は、溶接によって連結される。
【００１５】
建枠２は、隣り合う横地材５同士が平行に対向するように所定間隔で横方向に複数立て並べられる。隣り合う建枠２の建地材４ａ同士及び建地材４ｂ同士は、筋交部材（図示せず）で連結され、隣り合う建枠２の横地材５間には、フック３ｃを介して足場板３が渡し設けられる。
【００１６】
建枠２は、上下方向にも複数連結される。上下に隣り合う建枠２の建地材４ａ同士及び建地材４ｂ同士は、ジョイントピン５０によって連結される。このように、枠組足場１は、建枠２を横方向及び上下方向に複数連結することによって構成される。
【００１７】
次に、主に図２〜４を参照して、ジョイントピン５０について説明する。図３はジョイントピン５０の正面図であり、図４はジョイントピン５０の側面図である。
【００１８】
建地材４は筒状に形成される。ジョイントピン５０は、上側の建地材４の下端開口に挿入される上側ピン５１と、下側の建地材４の上端開口に挿入される下側ピン５２と、上側ピン５１と下側ピン５２の間に形成され、上側の建地材４の下端面と下側の建地材４の上端面との間に渡って設けられる本体部５３と、を有する筒状部材である。上側ピン５１、下側ピン５２、及び本体部５３は、一体に形成される。
【００１９】
上側ピン５１及び下側ピン５２は、その外径が建地材４の内径と略同一であり、建地材４の内周面に沿って挿入される。
【００２０】
本体部５３は、その外径が上側ピン５１及び下側ピン５２の外径よりも大きい。したがって、本体部５３と上側ピン５１の境界、及び本体部５３と下側ピン５２の境界には、それぞれ段差部５４，５５が形成される。
【００２１】
図２に示すように、上側ピン５１が上側の建地材４の下端開口に挿入された状態では、上側の建地材４の下端面は段差部５４に当接した状態となる。また、下側ピン５２が下側の建地材４の上端開口に挿入された状態では、下側の建地材４の上端面は段差部５５に当接した状態となる。
【００２２】
本体部５３は、その外径が建地材４の外径と略同一であり、上側ピン５１及び下側ピン５２がそれぞれ上側の建地材４及び下側の建地材４に挿入された状態では、上側の建地材４、本体部５３、及び下側の建地材４の外周面は、軸方向に滑らかに連続する。
【００２３】
本体部５３の外周面には、幅木１０を支持する幅木受け部材としてのプレート７０が設けられる。プレート７０は、幅木取付金具１００の一部品である。プレート７０については、後に詳しく説明する。
【００２４】
ジョイントピン５０は、さらに、上側ピン５１及び下側ピン５２と建地材４との外れを防止する外れ防止機構と、その外れ防止機構の機能を解除する解除機構と、を有する。具体的には、ジョイントピン５０は、ロックピン５６と、ロックピン５６を付勢する板ばね５７と、板ばね５７の付勢力に抗してロックピン５６を押圧するためのレバー５８と、を有する。
【００２５】
ロックピン５６は、ジョイントピン５０の中空部内に設けられ、両端部の爪部６０，６１のそれぞれが上側ピン５１及び下側ピン５２に形成された開口部５１ａ，５２ａから外部へと露出する。爪部６０は、上側ピン５１先端側がテーパ面６０ａとして形成され、本体部５３側が上側ピン５１の外周面に垂直な垂直面６０ｂとして形成される。爪部６１にも、同様にテーパ面６１ａと垂直面６１ｂとが形成される。
【００２６】
板ばね５７は、ジョイントピン５０の中空部内に設けられ、爪部６０，６１が上側ピン５１及び下側ピン５２の開口部５１ａ，５２ａから外部へと露出する方向にロックピン５６を付勢する。
【００２７】
レバー５８は、ジョイントピン５０の外部から作業員が操作可能なように、本体部５３に形成された開口部５３ａから外部へと露出する。
【００２８】
上側ピン５１が挿入される上側の建地材４の下端側には、ロックピン５６の爪部６０が挿通可能な貫通孔が形成される。同様に、下側ピン５２が挿入される下側の建地材４の上端側にも、ロックピン５６の爪部６１が挿通可能な貫通孔が形成される。
【００２９】
上側ピン５１が、上側の建地材４の下端開口から内周面に沿って挿入されると、ロックピン５６の爪部６０は、そのテーパ面６０ａが建地材４の内周面に押圧されて上側ピン５１内に引っ込んだ後、建地材４の貫通孔に対向した際に、板ばね５７の付勢力によってその貫通孔を挿通する。この状態では、爪部６０の垂直面６０ｂが建地材４の貫通孔に係合するため、上側ピン５１と建地材４との外れが防止される。上側ピン５１から建地材４を外す際には、レバー５８を本体部５３内に押し込む。これにより、板ばね５７の付勢力に抗してロックピン５６が押圧され、爪部６０が上側ピン５１内に引っ込むため、上側ピン５１から建地材４を外すことが可能となる。下側ピン５２の爪部６１の機能は上側ピン５１の爪部６０の機能と同じであるため、説明を省略する。
【００３０】
以上のように、ジョイントピン５０を用いれば、建枠２を上下方向に複数連結することができ、複数段を有する枠組足場１を構築することができる。ここで、建枠２の高さ、つまり上下の足場板３間の長さは、建地材４の長さで決まる。建枠２は規格品であり、建地材４の長さが１７００ｍｍのものが長らく標準品として用いられている。しかし、このサイズは、近年の作業員の身長には合わないものとなっており、枠組足場１内での通行、作業がし難い状況となっている。そこで、このような状況に対応するために、ジョイントピン５０のうち本体部５３の軸方向長さを長くすることによって、建枠２の高さを高くすることができる。例えば、本体部５３の長さを１００ｍｍ長くすることによって、従来の建枠２を使用しながらも、建枠２の高さを１８００ｍｍとすることができる。このように、ジョイントピン５０のみを変更するだけで、建枠２の高さを変更することができるため、枠組足場１内での通行、作業の改善を安価に達成することができる。
【００３１】
次に、主に図５〜７を参照して、幅木１０について説明する。図５は幅木１０の裏面図であり、図６は幅木１０の平面図であり、図７は図５のＡ−Ａ線に沿う断面図である。なお、図７では、幅木取付金具１００の図示を省略している。
【００３２】
幅木１０は、足場板３の縁部３ａ，３ｂ（図１０，１１参照）から作業道具や資材等の物品の落下を防止するために、足場板３の縁部３ａ，３ｂに沿って配置されるものである。幅木１０には、足場板３の長手方向の縁部３ａに沿って配置される長幅木１０Ａ（図１参照）と、足場板３の短手方向の縁部３ｂに沿って配置される短幅木１０Ｂ（図２参照）との２種類がある。長幅木１０Ａと短幅木１０Ｂは、長手方向の長さが異なるだけで、構成は同じである。
【００３３】
幅木１０は、長方形の板状の幅木本体１１と、幅木本体１１に連続して形成され、幅木本体１１と足場板３との隙間を塞ぐ隙間塞ぎ板１２と、を有する。
【００３４】
幅木本体１１は、図１に示すように、足場板３に対して垂直に配置され、足場板３からの物品の落下を防止する。しかし、幅木本体１１のみでは、足場板３の縁部３ａ，３ｂと幅木本体１１の下端部との間には、それぞれ隙間１８，１９（図１０，１１参照）が存在することになる。隙間塞ぎ板１２は、この隙間１８，１９を塞ぐものである。
【００３５】
隙間塞ぎ板１２は、幅木本体１１の一方の長辺に連続して形成される。幅木本体１１の他方の長辺には、隙間塞ぎ板１２とは逆側にコの字状に折り返された折り返し部１３が連続して形成される。隙間塞ぎ板１２及び折り返し部１３は、一枚の板材を曲げ成形することによって形成される。
【００３６】
次に、主に図８〜１１を参照して、幅木１０を建枠２に取り付けるための幅木取付金具１００について説明する。図８はジョイントピン５０の平面図であり、図９は幅木取付金具１００の側面図であり、図１０はプレート７０に長幅木１０Ａが支持された状態の平面図であり、図１１はプレート７０に長幅木１０Ａと短幅木１０Ｂが支持された状態の平面図である。
【００３７】
幅木取付金具１００は、ジョイントピン５０に設けられたプレート７０と、幅木１０の両端部に設けられた一対のフック８０（８０Ａ，８０Ｂ）と、を備える。
【００３８】
図８に示すように、プレート７０は、平板状部材であり、ジョイントピン５０の本体部５３の外周面に対して垂直に溶接で結合される。プレート７０は、フック８０が挿入される開口部７１と、開口部７１に挿入されたフック８０が係合する係合部７２と、を有する。
【００３９】
開口部７１は、プレート７０を上下方向に貫通して形成される。開口部７１は、足場板３の長手方向に延設された第１開口部７１ａと、足場板３の長手方向に延設され、第１開口部７１ａと同一直線上に形成された第２開口部７１ｂと、足場板３の短手方向に延設された第３開口部７１ｃと、を有する。第１開口部７１ａ及び第２開口部７１ｂには、長幅木１０Ａに設けられたフック８０が挿入され、第３開口部７１ｃには、短幅木１０Ｂに設けられたフック８０が挿入される。第１開口部７１ａ、第２開口部７１ｂ、及び第３開口部７１ｃは、それぞれ連通してＴ字状に形成される。
【００４０】
長幅木１０Ａは、図１に示すように、隣り合う建枠２の建地材４に連結されるジョイントピン５０のプレート７０間に渡って設けられる。具体的には、長幅木１０Ａの一端部に設けられたフック８０Ａは、隣り合う建枠２の一方の建枠２の建地材４に連結されるジョイントピン５０のプレート７０の第１開口部７１ａに挿入され、長幅木１０Ａの他端部に設けられたフック８０Ｂは、隣り合う建枠２の他方の建枠２の建地材４に連結されるジョイントピン５０のプレート７０の第２開口部７１ｂに挿入される。フック８０Ａとフック８０Ｂは、同じ構成であって左右対称に形成される。
【００４１】
短幅木１０Ｂは、図２に示すように、建枠２の建地材４ａと建地材４ｂに連結されるジョイントピン５０のプレート７０間に渡って設けられる。具体的には、短幅木１０Ｂの一端部に設けられたフック８０Ａは、建地材４ａに連結されるジョイントピン５０のプレート７０の第３開口部７１ｃに挿入され、短幅木１０Ｂの他端部に設けられたフック８０Ｂは、建地材４ｂに連結されるジョイントピン５０のプレート７０の第３開口部７１ｃに挿入される。短幅木１０Ｂは、横方向に所定間隔で並べられる建枠２のうち端部に配置される建枠２のみに取り付けられる。
【００４２】
プレート７０の係合部７２は、開口部７１に挿入されたフック８０が係合するものである。具体的には、図８に示すように、係合部７２は、第１開口部７１ａに挿入された長幅木１０Ａのフック８０が係合する第１係合部７２ａと、第２開口部７１ｂに挿入された長幅木１０Ａのフック８０が係合する第２係合部７２ｂと、第３開口部７１ｃに挿入された短幅木１０Ｂのフック８０が係合する第３係合部７２ｃと、を有する。
【００４３】
図５及び９に示すように、フック８０は、幅木１０の両端部の裏面にボルト８１で固定されたベース板８２に形成される。フック８０は、幅木１０の長手方向に延びる直線部８３と、開口部７１を挿通可能なように、直線部８３から幅木１０の短手方向に延びる突出部８４と、を有する。
【００４４】
例えば、フック８０の突出部８４がプレート７０の第１開口部７１ａに挿入された状態では、直線部８３が第１係合部７２ａの上面に支持されると共に、突出部８４が第１係合部７２ａの内壁７３（図８参照）に対向する。このようにして、フック８０は、プレート７０の第１係合部７２ａに係合する。
【００４５】
幅木１０の両端部に設けられるフック８０Ａ，８０Ｂは、それぞれプレート７０の係合部７２に係合するため、幅木１０は、一対のプレート７０の係合部７２の上面間に渡って支持されると共に、係合部７２の内壁によって幅木１０の長手方向への移動が規制される。このようにして、幅木１０は、プレート７０及びフック８０を介して建枠２に取り付けられる。
【００４６】
幅木１０がプレート７０及びフック８０を介して建枠２に取り付けられた状態では、幅木１０の隙間塞ぎ板１２の先端側が足場板３の上面に接触し、足場板３の縁部３ａ，３ｂと幅木本体１１の下端部との間の隙間１８，１９（図１０，１１参照）が塞がれる。ここで、図７に示すように、幅木本体１１と隙間塞ぎ板１２とのなす角度θは９０度よりも大きいため、幅木１０が建枠２に取り付けられた状態では、幅木１０の自重で幅木本体１１と隙間塞ぎ板１２の境界部が弾性変形し、隙間塞ぎ板１２の先端側が弾性力により足場板３の上面に密着する。したがって、隙間１８，１９を通じての物品の落下を効果的に防止することができる。
【００４７】
開口部７１に挿入されるフック８０の突出部８４の厚さは、開口部７１の開口幅Ｄ（図８参照）と略同じである。したがって、突出部８４が開口部７１に挿入された状態では、開口部７１内での突出部８４の厚さ方向へのがたつきはほぼない。よって、幅木１０の厚さ方向への移動も規制される。
【００４８】
なお、フック８０の先端に、直線部８３と平行に延びる爪部８５を形成するようにしてもよい。フック８０の突出部８４が開口部７１に挿入された状態では、爪部８５は係合部７２の下面に対向する。このため、フック８０の先端に爪部８５を形成することによって、フック８０が係合部７２に対して、よりしっかりと係合する。
【００４９】
幅木取付金具１００は、ボルト９１を介してベース板８２に回動自在に支持されたフック抜止具９０をさらに備える。フック抜止具９０は、ボルト９１を軸にベース板８２上に沿って回動する。
【００５０】
フック抜止具９０は、ベース板８２に形成されたストッパ８２ａに当接してフック抜止具９０の所定角度以上の回転を規制する突起９２と、突起９２がストッパ８２ａに当接した状態で、フック８０との間で閉空間９４を区画する鉤部９３と、を有する。
【００５１】
鉤部９３は、突起９２がストッパ８２ａに当接した状態で、幅木１０の長手方向に延びる水平面９３ａと、幅木１０の短手方向に延びる鉛直面９３ｂと、を有する。
【００５２】
例えば、フック８０の突出部８４が第１開口部７１ａに挿入され、かつフック抜止具９０の突起９２がストッパ８２ａに当接した状態では、鉤部９３の水平面９３ａは、第１係合部７２ａの下面に対向すると共に、鉤部９３の鉛直面９３ｂは、第１係合部７２ａの外壁７４（図８参照）に対向する。これにより、第１係合部７２ａは、閉空間９４内に配置され、フック８０と鉤部９３とによって囲まれる。これにより、第１開口部７１ａからのフック８０の抜けが防止される。
【００５３】
フック抜止具９０は、自重により回動して突起９２がストッパ８２ａに当接した際に、鉤部９３がフック８０との間で係合部７２を囲むように構成される。したがって、フック８０をプレート７０の係合部７２に係合させる際には、幅木１０の端部を上方に向ける。これにより、フック抜止具９０は自重により鉤部９３がフック８０から遠ざかる方向に回動するため、フック８０の突出部８４を開口部７１に挿入させることができる。その後、幅木１０を水平に戻すことによって、フック抜止具９０は自重により鉤部９３がフック８０に近づく方向に回動して突起９２がストッパ８２ａに当接し、鉤部９３がフック８０との間で係合部７２を囲む。このように、フック抜止具９０の自重を利用して、簡単にフック８０を係合部７２に係合させることができる。
【００５４】
なお、自重によるフック抜止具９０の回動をスムーズにするために、フック抜止具９０に錘９５を設けるのが望ましい。
【００５５】
プレート７０からのフック８０の取り外しは、フック抜止具９０を持ち上げて鉤部９３がフック８０から遠ざかる方向に回動させた状態で、幅木１０を上方に持ち上げることによって行う。
【００５６】
以上の実施形態によれば、以下に示す作用効果を奏する。
【００５７】
幅木１０は、プレート７０と一対のフック８０Ａ，８０Ｂを介して建枠２に取り付けられる。プレート７０は建地材４を連結するためのジョイントピン５０に設けられており、フック８０Ａ，８０Ｂは幅木１０の両端部に設けられている。このように、幅木１０を建枠２に取り付けるための幅木取付金具１００は、ジョイントピン５０及び幅木１０に設けられる。したがって、枠組足場１の部品点数が増加することはない。また、幅木１０を建枠２に取り付ける作業は、プレート７０に一対のフック８０Ａ，８０Ｂを係合させるだけで行うことができるため、枠組足場１の組立工数が増加することもない。よって、枠組足場１に幅木１０を簡単に取り付けることができる。
【００５８】
以下に、本発明の実施形態の変形例について説明する。
【００５９】
（１）プレート７０に形成される開口部７１の形状は、Ｔ字状に限定されない。３つの開口部７１ａ，７１ｂ，７１ｃは連通して形成する必要はなく、独立した開口部として形成してもよい。また、３つの開口部７１ａ，７１ｂ，７１ｃのそれぞれを、別々のプレート７０に形成するようにしてもよい。また、１つのプレート７０に、第１開口部７１ａ及び第２開口部７１ｂを形成し、別の一つのプレート７０に、第１開口部７１ａ及び第２開口部７１ｂの一方と、第３開口部７１ｃと、を形成するようにしてもよい。また、上記実施形態では、開口部７１は、プレート７０を上下方向に貫通して形成される形態を示したが、開口部７１は、貫通孔ではなく穴であってもよい。
【００６０】
（２）上記実施形態では、プレート７０は矩形状のものを示したが、プレート７０の形状はこの形状に限定されない。例えば、ジョイントピン５０の本体部５３の全周に渡って形成されるリング状であってもよい。また、上記実施形態では、ジョイントピン５０の本体部５３に一つのプレート７０を設ける形態を示したが、本体部５３に複数のプレート７０を設けるようにしてもよい。
【００６１】
（３）上記実施形態で示したフック抜止具９０は本発明の必須の構成ではない。フック８０をプレート７０に係合させるのみによって、幅木１０を建枠２に取り付けるようにしてもよい。
【００６２】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００６３】
１００    幅木取付金具
１        枠組足場
２        建枠
３        足場板
４，４ａ，４ｂ    建地材
５        横地材
１０      幅木
１０Ａ    長幅木
１０Ｂ    短幅木
１１      幅木本体
１２      隙間塞ぎ板
５０      ジョイントピン
７０      プレート（幅木受け部材）
７１      開口部
７１ａ    第１開口部
７１ｂ    第２開口部
７１ｃ    第３開口部
７２      係合部
７２ａ    第１係合部
７２ｂ    第２係合部
７２ｃ    第３係合部
８０，８０Ａ，８０Ｂ    フック
８３      直線部
８４      突出部
９０      フック抜止具
９３      鉤部
【図１】
2019183518.tif 000003
【図２】
2019183518.tif 000004
【図３】
2019183518.tif 000005
【図４】
2019183518.tif 000006
【図５】
2019183518.tif 000007
【図６】
2019183518.tif 000008
【図７】
2019183518.tif 000009
【図８】
2019183518.tif 000010
【図９】
2019183518.tif 000011
【図１０】
2019183518.tif 000012
【図１１】
2019183518.tif 000013